(57)【要約】      （修正有）【課題】固定電話機への着信や留守番伝言の蓄積に関する情報を携帯電話機へ通知する情報通知システムを提供する。【解決手段】固定電話機５への着信呼を電話交換機１で検出すると、ＳＩＰサーバ１１は加入者データベースから固定電話機５が着信通知の登録を行っているかを確認する。固定電話機５が着信通知の登録を行っている場合、ＳＩＰサーバ１１はＡＰＬ−ＧＷ２１へ着信呼に関する情報（ＣＤＲ）を送信する。ＡＰＬ−ＧＷ２１は、受信したＣＤＲから固定電話機５の電話番号を取得し、加入者データベース２２から固定電話機５と結びついた携帯電話機４の情報を取得する。ＡＰＬ−ＧＷ２１は、携帯電話機４への着信通知メッセージを生成し、ＭＳＧＷ２３へ出力する。ＭＳＧＷ２３は、ＳＭＳＣ３を介して、入力した着信通知メッセージを携帯電話機４へと送信する。【選択図】図１
2007235820.tif 000002
【特許請求の範囲】
【請求項１】
固定電話機への着信呼を検出する着信検出手段と、
前記固定電話機への着信の通知設定を記憶する記憶手段と、
前記検出した着信呼に関する着信呼情報から発信先の固定電話機を特定し、当該固定電話機の前記通知設定を前記記憶手段から検索する設定検索手段と、
前記設定検索手段で着信に関する情報を通知すると判断した場合に、前記着信呼情報を送信する着信呼情報送信手段と、
前記固定電話機と一または複数の携帯電話機とを結びつけて管理する管理手段と、
前記送信された着信呼情報を受信する着信呼情報受信手段と、
前記受信した着信呼情報から固定電話機を特定し、当該固定電話機と結びついた携帯電話機の情報を前記管理手段から取得する携帯電話機情報取得手段と、
前記携帯電話機情報取得手段で取得した携帯電話機に対して、当該固定電話機への着信を通知する通知手段と
を具備することを特徴とする情報通知システム。
【請求項２】
固定電話機への着信呼を検出する着信検出手段と、
前記固定電話機への留守番伝言を蓄積する留守番伝言蓄積手段と、
前記固定電話機への留守番伝言蓄積の通知設定を記憶する記憶手段と、
前記検出した着信呼に関する着信呼情報から発信先の固定電話機を特定し、当該固定電話機の前記通知設定を前記記憶手段から検索する設定検索手段と、
前記設定検索手段で留守番伝言蓄積を通知すると判断した場合に、前記着信呼情報を送信する着信呼情報送信手段と、
前記固定電話機と一または複数の携帯電話機とを結びつけて管理する管理手段と、
前記送信された着信呼情報を受信する着信情報受信手段と、
前記受信した着信呼情報から固定電話機を特定し、当該固定電話機と結びついた携帯電話機の情報を前記管理手段から取得する携帯電話機情報取得手段と、
前記携帯電話機情報取得手段で取得した携帯電話機に対して、当該固定電話機への留守番伝言蓄積を通知する通知手段と
を具備することを特徴とする情報通知システム。
【請求項３】
前記通知手段から当該固定電話機への着信の通知を受信した携帯電話機は、固定電話機への着信通知であることを示す識別子を画面に表示することを特徴とする請求項１に記載の情報通知システム。
【請求項４】
前記通知手段は、当該電話機への着信の通知として当該固定電話機へ発信を行った発信元電話番号を通知し、
前記携帯電話機は、電話番号と当該電話番号に対応して登録された登録情報とを記憶する電話帳機能を備え、
前記通知手段から発信元電話番号の通知を受信した携帯電話機は、前記電話帳機能から当該発信元電話番号に対応する登録情報を取得して画面に表示することを特徴とする請求項１又は３に記載の情報通知システム。
【請求項５】
前記通知手段から当該固定電話機への留守番伝言蓄積の通知を受信した携帯電話機は、固定電話機への留守番伝言が蓄積された通知であることを示す識別子を画面に表示することを特徴とする請求項２に記載の情報通知システム。
【請求項６】
前記通知手段は、当該電話機への留守番伝言蓄積の通知として当該固定電話機へ発信を行った発信元電話番号を通知し、
前記携帯電話機は、電話番号と当該電話番号に対応して登録された登録情報とを記憶する電話帳機能を備え、
前記通知手段から発信元電話番号の通知を受信した携帯電話機は、前記電話帳機能から当該発信元電話番号に対応する登録情報を取得して画面に表示することを特徴とする請求項２又は５に記載の情報通知システム。
【請求項７】
前記管理手段において前記固定電話機と一または複数の携帯電話機とを結びつける設定登録が行われたときに、前記結びつけられた携帯電話機に対して設定登録の通知を行うことを特徴とする請求項１から請求項６の何れか１項に記載の情報通知システム。
【請求項８】
携帯電話機への留守番伝言と、前記管理手段で当該携帯電話機と結びつけられた固定電話機の留守番伝言が蓄積された領域へのアドレスとが蓄積される携帯電話留守番伝言蓄積手段をさらに具備することを特徴とする請求項２に記載の情報通知システム。
【発明の詳細な説明】
【技術分野】
【０００１】
本発明は、固定電話機への着信や留守番伝言の蓄積に関する情報を携帯電話機へ通知する情報通知システムに関する。
【背景技術】
【０００２】
従来、例えば、固定電話機への着信を携帯電話機に通知する方法として、固定電話機に電子メール機能を搭載し、着信時に固定電話機が発信元の電話番号を含む電子メールを作成し、携帯電話機へ送信する方法が知られている（例えば、特許文献1参照）。
【特許文献１】特開２００３−０４６６６３号公報
【発明の開示】
【発明が解決しようとする課題】
【０００３】
しかし、上記従来の通知方法では、着信通知のために固定電話機が電子メール機能を搭載する必要があり、ユーザは電子メール機能付きの固定電話機を新たに入手する必要がある。また、固定電話機で着信通知を行う方法では、固定電話機が着信に応答する必要があり、ユーザが話中で応答できなかった場合には着信通知が行われない等、着信通知が可能となる状況に制限があるという課題があった。
【０００４】
本発明は上記事情を考慮してなされたもので、その目的は、固定電話機への着信や留守番伝言蓄積等に関する情報を携帯電話機へ常時通知することが可能な情報通知システムを提供することにある。
【課題を解決するための手段】
【０００５】
本発明は上記の課題を解決するためになされたもので、請求項1に記載の発明は、固定電話機への着信呼を検出する着信検出手段と、前記固定電話機への着信の通知設定を記憶する記憶手段と、前記検出した着信呼に関する着信呼情報から発信先の固定電話機を特定し、当該固定電話機の前記通知設定を前記記憶手段から検索する設定検索手段と、前記設定検索手段で着信に関する情報を通知すると判断した場合に、前記着信呼情報を送信する着信呼情報送信手段と、前記固定電話機と一または複数の携帯電話機とを結びつけて管理する管理手段と、前記送信された着信呼情報を受信する着信呼情報受信手段と、前記受信した着信呼情報から固定電話機を特定し、当該固定電話機と結びついた携帯電話機の情報を前記管理手段から取得する携帯電話機情報取得手段と、前記携帯電話機情報取得手段で取得した携帯電話機に対して、当該固定電話機への着信を通知する通知手段とを具備することを特徴とする情報通知システムである。
【０００６】
また、請求項２に記載の発明は、固定電話機への着信呼を検出する着信検出手段と、前記固定電話機への留守番伝言を蓄積する留守番伝言蓄積手段と、前記固定電話機への留守番伝言蓄積の通知設定を記憶する記憶手段と、前記検出した着信呼に関する着信呼情報から発信先の固定電話機を特定し、当該固定電話機の前記通知設定を前記記憶手段から検索する設定検索手段と、前記設定検索手段で留守番伝言蓄積を通知すると判断した場合に、前記着信呼情報を送信する着信呼情報送信手段と、前記固定電話機と一または複数の携帯電話機とを結びつけて管理する管理手段と、前記送信された着信呼情報を受信する着信情報受信手段と、前記受信した着信呼情報から固定電話機を特定し、当該固定電話機と結びついた携帯電話機の情報を前記管理手段から取得する携帯電話機情報取得手段と、前記携帯電話機情報取得手段で取得した携帯電話機に対して、当該固定電話機への留守番伝言蓄積を通知する通知手段とを具備することを特徴とする情報通知システムである。
【０００７】
また、請求項３に記載の発明は、請求項１に記載の発明において、前記通知手段から当該固定電話機への着信の通知を受信した携帯電話機は、固定電話機への着信通知であることを示す識別子を画面に表示することを特徴とする情報通知システムである。
【０００８】
また、請求項４に記載の発明は、請求項１又は請求項３に記載の発明において、前記通知手段は、当該電話機への着信の通知として当該固定電話機へ発信を行った発信元電話番号を通知し、前記携帯電話機は、電話番号と当該電話番号に対応して登録された登録情報とを記憶する電話帳機能を備え、前記通知手段から発信元電話番号の通知を受信した携帯電話機は、前記電話帳機能から当該発信元電話番号に対応する登録情報を取得して画面に表示することを特徴とする情報通知システムである。
【０００９】
また、請求項５に記載の発明は、請求項２に記載の発明において、前記通知手段から当該固定電話機への留守番伝言蓄積の通知を受信した携帯電話機は、固定電話機への留守番伝言が蓄積された通知であることを示す識別子を画面に表示することを特徴とする情報通知システムである。
【００１０】
また、請求項６に記載の発明は、請求項２又は請求項５に記載の発明において、前記通知手段は、当該電話機への留守番伝言蓄積の通知として当該固定電話機へ発信を行った発信元電話番号を通知し、前記携帯電話機は、電話番号と当該電話番号に対応して登録された登録情報とを記憶する電話帳機能を備え、前記通知手段から発信元電話番号の通知を受信した携帯電話機は、前記電話帳機能から当該発信元電話番号に対応する登録情報を取得して画面に表示することを特徴とする情報通知システムである。
【００１１】
また、請求項７に記載の発明は、請求項１から請求項６の何れか１項に記載の発明において、前記管理手段において前記固定電話機と一または複数の携帯電話機とを結びつける設定登録が行われたときに、前記結びつけられた携帯電話機に対して設定登録の通知を行うことを特徴とする。
【００１２】
また、請求項８に記載の発明は、請求項２に記載の発明において、携帯電話機への留守番伝言と、前記管理手段で当該携帯電話機と結びつけられた固定電話機の留守番伝言が蓄積された領域へのアドレスとが蓄積される携帯電話留守番伝言蓄積手段をさらに具備することを特徴とする。
【発明の効果】
【００１３】
請求項１に記載の発明によれば、従来技術のように端末側ではなく着信検出手段で着信呼を検出するため、固定電話機が着信呼に対して応答したか否かに関わらず常時携帯電話機に対して着信通知を行うことができる。また、固定電話機および携帯電話機に新たな機能を追加することなく実現可能であり、従来の固定電話機および携帯電話機を本発明で使用することができる。
【００１４】
請求項２に記載の発明によれば、固定電話機で応答し蓄積した留守番伝言だけでなく、固定電話機で応答せず留守番伝言蓄積手段で蓄積した留守番伝言に対しても携帯電話機に蓄積通知を行うことができる。
【００１５】
請求項３に記載の発明によれば、固定電話機への着信通知であることを示す識別子を携帯電話機の画面に表示することで、携帯電話機のユーザは、固定電話機への着信があったことを容易に判別することができる。
【００１６】
請求項４に記載の発明によれば、携帯電話機の電話帳機能と連携させることで、固定電話機へ着信を行った発信者の情報を携帯電話機の画面に表示することが可能となり、ユーザは誰からの着信であるかを容易に知ることができる。
【００１７】
請求項５に記載の発明によれば、固定電話機への留守番伝言通知であることを示す識別子を携帯電話機の画面に表示することで、携帯電話機のユーザは、固定電話機への留守番伝言が蓄積されたことを容易に判別することができる。
【００１８】
請求項６に記載の発明によれば、携帯電話機の電話帳機能と連携させることで、固定電話機へ留守番伝言の蓄積を行った発信者の情報を携帯電話機の画面に表示することが可能となり、ユーザは誰からの留守番伝言であるかを容易に知ることができる。
【００１９】
請求項７に記載の発明によれば、固定電話機と結びついた携帯電話機に対して登録通知を行うことで、正常に登録がなされたことを携帯電話機のユーザが確認できる。
【００２０】
請求項８に記載の発明によれば、固定電話機の留守番伝言を蓄積する手段と、携帯電話機の留守番伝言を蓄積する手段とを共有することが可能であり、固定電話機への留守番伝言を携帯電話機で再生することができる。
【発明を実施するための最良の形態】
【００２１】
以下、図面を参照して本発明の実施形態について説明する。
図1は本発明の一実施形態にかかる情報通知システムの構成を示す構成図である。図１において、電話交換機１は、固定電話機５の回線交換制御を行うものである。電話交換機１内のＳＩＰサーバ１１は、ＳＩＰ（Session Initiation Protocol）に基づいてマルチメディアシステム２内の各部と通信を行うものである。加入者データベース１２は、着信や留守番伝言の通知に関する固定電話機５の設定情報を保持するデータベースである。
【００２２】
マルチメディアシステム２は、着信や留守番伝言蓄積の通知に関する処理を司るものである。マルチメディアシステム２内のＡＰＬ−ＧＷ２１は、マルチメディアシステム２内の各部またはＳＩＰサーバ１１からの要求を受け、必要な処理を実行するアプリケーションサーバである。加入者データベース２２は、着信や留守番伝言の通知に関する携帯電話機４および固定電話機５の設定情報を保持するデータベースである。
【００２３】
ＭＳＧＷ２３は、ＡＰＬ−ＧＷ２１から入力した通知メッセージをＳＭＳＣ３へと出力するショートメッセージＧＷ（Gateway）である。ＶＳＧＷ２４は、留守番伝言の蓄積または再生等の処理を行う際に、ＳＩＰサーバ１１または携帯電話機４とＡＰＬ−ＧＷ２１との間を中継するメディアＧＷである。
【００２４】
ＳＭＳＣ３は、ＭＳＧＷ２３から入力した通知メッセージを携帯電話機４へショートメッセージとして配信するショートメッセージ配信システムである。なお、ＳＭＳＣ３で行うショートメッセージの配信は、例えば電話番号をキーとして送信先を特定し、配信を行うサービスを用いる。
【００２５】
続いて、図１の固定電話機５への着信を携帯電話機４へ通知する着信通知サービスおよび固定電話機５への留守番伝言蓄積を携帯電話機４へ通知する留守番サービスの登録及び設定方法に関して、図２および図３を参照して説明する。
【００２６】
図２は、着信通知サービスおよび留守番サービスの登録および設定時の構成を示す図である。図２において、ユーザが登録または設定を行う方法は大きく分けて二通り存在し、一つはプロビジョニングシステム６を用いる方法で、もう一つは電話交換機１の回線交換機能を用いるものである。
【００２７】
プロビジョニングシステム６を用いる方法では、ユーザは端末からネットワークへ接続し、ＷＥＢ画面上で登録または設定を行う。ここで、ＷＥＢ画面としてはユーザが所持するＰＣ（Personal Computer）から閲覧するセルフページであってもよいし、サービス提供者側の端末（例えば、カスタマーセンターの端末）で表示するものであってもよいし、携帯電話機４で表示するＷＥＢページであってもよい。
【００２８】
ＷＥＢページで登録・設定された情報はプロビジョニングシステム６へと出力される。プロビジョニングシステム６は、ＷＥＢページで登録・設定された情報に基づいてマルチメディアシステム２および電話交換機１へ必要な設定を行い、ユーザが着信通知サービスおよび留守番サービスを利用可能となるようにする。なお、プロビジョニングシステム６への登録・設定情報の入力は、ユーザが記入した申込書に基づいて行うものであってもよい。
【００２９】
一方、電話交換機１の回線交換機能を用いる方法では、固定電話機５から出力するＰＢ信号に基づいて電話交換機１がマルチメディアシステム２に対して登録・設定を行ってもよいし、携帯電話機４からＩＶＲ（Interactive Voice Response）等の機能で出力するＰＢ信号に基づいて電話交換機１がマルチメディアシステム２に対して登録・設定を行ってもよい。
【００３０】
次に、着信通知サービスおよび留守番サービスにおける設定情報に関して具体的に説明する。本実施形態においては、一つの固定電話機に対して最大で十台の携帯電話機を登録することが可能であり、各携帯電話機に対して着信通知サービスおよび留守番サービスの設定が管理される。また、一つの携帯電話機を複数の固定電話機と結びつけて登録し、複数の固定電話機からの着信通知および留守番伝言蓄積通知を受けることも可能である。
【００３１】
図３は、図１のマルチメディアシステム２の加入者データベース２２で記憶される設定情報を示した図である。図３において、加入者データベース２２ではユーザの固定電話機の電話番号と当該固定電話機から通知を行う携帯電話機１〜１０の電話番号が括り付けられて記憶される。
【００３２】
さらに、携帯電話機毎に着信通知サービスに加入しているか否か、留守番サービスに加入しているか否かが記憶され、着信通知サービスに加入している場合は着信通知に関する詳細設定が記憶される。さらに、登録後に設定変更を行なう際に使用する暗証番号や、通知を行う通知条件が記憶される。
【００３３】
ここで、着信通知に関する詳細設定とは例えば、通知を行う期間を指定する通知スケジュールの設定や発信者番号によってフィルタ条件等である。フィルタ条件としては、例えば、リストに登録された電話番号以外からの着信を通知するブラックリストを用いる方法や、リストに登録された電話番号からの着信のみを通知するホワイトリストを用いる方法、発信元電話番号が非通知の設定に関しては通知を行わない方法等がある。
【００３４】
通知条件としては、全ての着信に関して通知を行う場合と、話中呼および無応答呼の着信に対してのみ行う場合と、全ての着信に関して通知しない場合とが考えられる。本実施形態では、固定電話機５ではなく電話交換機１およびマルチメディアシステム２が着信通知の処理を行うため、固定電話機５が話中呼の場合等で応答できない場合においても、着信を検出して着信通知を行うことができる。
【００３５】
一方、図１の電話交換機１の加入者データベース１２では、固定電話機の電話番号と当該固定電話機が着信通知サービスに加入しているか否か、留守番サービスに加入しているか否かの情報が記憶される。
【００３６】
次に、図４のフローチャートを参照して、ユーザが着信通知サービスおよび留守番サービスで使用する携帯電話機を登録した際に、当該携帯電話機に対して登録通知を行う手順を説明する。
【００３７】
各ユーザが着信および留守番伝言蓄積の通知先となる携帯電話機を図２に示した何れかの方法で登録を行うと（ステップＳ４０１）、マルチメディアシステム２においてユーザの固定電話機の着信通知サービスおよび留守番サービスの加入状況を加入者データベース２２から検索する（ステップＳ４０２）。
【００３８】
ユーザの固定電話機が着信通知サービスまたは留守番サービスに加入している場合は、ステップＳ４０１で登録された情報がＡＰＬ−ＧＷ２１へと出力される（ステップＳ４０３）。ＡＰＬ−ＧＷ２１は、入力した情報に基づいて、固定電話機の電話番号の配下に登録された携帯電話機の電話番号の設定を行う（ステップＳ４０４）。
【００３９】
続いて、ＡＰＬ−ＧＷ２１は、登録された携帯電話機の電話番号に対する登録通知メッセージを生成し、生成した登録通知メッセージをＭＳＧＷ２３へ送信する（ステップＳ４０５）。ＭＳＧＷ２３は登録通知メッセージをＳＭＳＣ３へと送信し、ＳＭＳＣ３は既存の処理と同様の方法で当該携帯電話機に対して登録通知メッセージをショートメッセージとして配信する（ステップＳ４０６）。
【００４０】
次に、図５のフローチャートを参照して、固定電話機への着信を携帯電話機に通知する手順を説明する。まず、固定電話機５へ電話交換機１を介して着信が来ると（ステップＳ５０１）、電話交換機１は着信を検出し（着信検出手段）、発信先である固定電話機５の着信通知サービスの加入条件を加入者データベース１２から検索する（ステップＳ５０２、設定検索手段）。
【００４１】
固定電話機５が着信通知サービスに加入している場合、ＳＩＰサーバ１１はＡＰＬ−ＧＷ２１へ着信呼に関する情報（ＣＤＲ：Call Log Detail）を送信する（ステップＳ５０３、着信呼情報送信手段）。ＡＰＬ−ＧＷ２１は、受信したＣＤＲから固定電話機５の電話番号を判断し、加入者データベース２２を検索して固定電話機５の電話番号と括り付けられた携帯電話機の通知条件を確認する（ステップＳ５０４、携帯電話機情報取得手段）。
【００４２】
続いて、ＡＰＬ−ＧＷ２１は、通知条件から着信通知を行うと判断した携帯電話機に対する着信通知メッセージを生成し、ＭＳＧＷ２３へ出力する（ステップＳ５０５）。ここで生成される着信通知メッセージは、そのヘッダ部分に固定電話機５への着信通知であることを示す情報を格納し、ペイロード部分に着信日時・発信者の電話番号（発信元電話番号）等を格納する。ＭＳＧＷ２３は、ＡＰＬ−ＧＷ２１から入力した着信通知メッセージを、ＳＭＳＣ３を介して当該携帯電話機へショートメッセージとして配信する（ステップＳ５０６、通知手段）。
【００４３】
本実施形態では着信通知をショートメッセージの配信により行っているが、電子メールの配信により行うことも可能である。また、マルチメディアシステム２において所定のＷｅｂページに着信情報を掲載し、携帯電話機から当該Ｗｅｂページを閲覧することで着信情報をユーザに通知することも可能である。
【００４４】
さらに、図５のフローチャートは固定電話機への着信がある度に着信通知メッセージを携帯電話機へ送信する手順であるが、送信のタイミングを携帯電話機からマルチメディアシステム２へ設定し、その設定されたタイミングでＭＳＧＷ２３が携帯電話機へ着信通知メッセージを送信することもできる。
【００４５】
ＳＭＳＣ３からの着信通知メッセージを受信した携帯電話機は、着信通知メッセージのヘッダ部分を識別し、固定電話機への着信であるかを確認する。固定電話機からの着信である場合は、図６に示すように、携帯電話機は、着信履歴を表示する画面に、固定電話機への着信があった旨、着信通知メッセージの配信日時及び発信者の電話番号又は発信者名（符号６１）を表示する。このように、マルチメディアシステム２からの着信通知は携帯電話機の着信履歴として保存されるが、携帯電話機からマルチメディアシステム２に対して、任意に、着信記録を送信するよう指示することもできる。
【００４６】
固定電話機への着信通知に対しては、例えば、固定電話機をイメージした絵をアイコン（識別子：符号６２）として表示し、携帯電話機への着信と異なる表示とすることで、その画面を見たユーザは、携帯電話機ではなく固定電話機への着信通知メッセージであることを容易に判別することができる。
【００４７】
また、着信通知メッセージに格納された発信者の電話番号が携帯電話機の電話帳機能に登録されている場合には、携帯電話機は電話帳機能から該電話番号に対応する発信者名を検索し、発信者名を携帯電話機の画面に表示してもよい。なお、携帯電話機の電話帳機能とは、電話番号とその電話番号に対応付けられた登録情報（例えば、その電話番号の端末を持つ人の名前、メールアドレス等）を記憶するものである。このように、固定電話機への着信通知と携帯電話機の電話帳機能とを連携することで、携帯電話機のユーザに対して固定電話機への発信を行った発信者名を通知することが可能となる。
【００４８】
着信通知の詳細を示す画面においては、図６の画面で示した情報に加えて、さらに、固定電話機への着信が行われた日時、その着信に対する通話区分（応答したのか、不在又は話中で応答しなかったか等）、呼び出し時間、着信時間等（符号７１）を表示する。また、前述したように一つの携帯電話機が複数の固定電話機から着信通知を受けることも可能であるため、どの固定電話機に対する着信通知メッセージかを示す情報も表示する。この情報は、固定電話機の電話番号であってもよいし、携帯電話機の電話帳機能と連携させ、固定電話機の電話番号に対応して登録された名称を表示してもよい。
【００４９】
次に、図８のフローチャートを参照して、固定電話機への留守番伝言の蓄積を携帯電話機へ通知する手順を説明する。まず、固定電話機５へ電話交換機１を介して着信が来ると（ステップＳ８０１）、電話交換機１は着信を検出し（着信検出手段）、発信先である固定電話機５の留守番サービスの加入条件を加入者データベース１２から検索する（ステップＳ８０２、設定検索手段）。
【００５０】
固定電話機５が留守番サービスに加入しており、留守番電話接続条件に合致したときには、ＳＩＰサーバ１１からＶＳＧＷ２４へとＳＩＰプロトコルのＩＮＶＩＴＥメッセージを転送して接続する（ステップＳ８０３、着信呼情報送信手段）。この際、固定電話機５が無応答の状態で留守番電話接続を行うときには、ＳＩＰサーバ１１がＤｉａｌｏｇ情報の変更を行い、発側へ複数のＤｉａｌｏｇが生成されないようにする。
【００５１】
ＶＳＧＷ２４およびＡＰＬ−ＧＷ２１は、ＩＮＮＶＩＴＥメッセージの転送元番号より固定電話機５の電話番号を判断し、加入者データベース２２を検索して固定電話機５の電話番号と括り付けられた携帯電話機の伝言蓄積条件を確認する（ステップＳ８０４、携帯電話機情報取得手段）。
【００５２】
続いて、マルチメディアシステム２の加入者データベース２２内に設けられた固定電話機用のメールボックス（留守番伝言蓄積手段）に留守番伝言を蓄積する（ステップＳ８０５）。また、連携した携帯電話機のメールボックス（携帯電話留守番伝言蓄積手段）に上記固定電話機用のメールボックスのアドレスをリンクする（ステップＳ８０６）。携帯電話機で留守番伝言を再生する場合には、そのメールボックスで保持するリンクのアドレスを参照する。
【００５３】
このように、本実施形態では、固定電話機の留守番伝言のデータそのものではなく、留守番伝言が蓄積されたメールボックスへのアドレス情報を携帯電話機のメールボックス内に記憶するため、固定電話機と携帯電話機とで留守番伝言を共有することができる。
【００５４】
留守番伝言の蓄積が終了すると、ＡＰＬ−ＧＷ２１は通知条件から留守番伝言蓄積の通知を行うと判断した携帯電話機に対する留守番伝言蓄積通知メッセージを生成し、ＭＳＧＷ２３へ出力する（ステップＳ８０７）。ここで生成される留守番伝言蓄積通知メッセージは、そのヘッダ部分に固定電話機５への留守番伝言蓄積通知であることを示す情報を格納し、ペイロード部分に着信日時・発信者の電話番号等を格納する。ＭＳＧＷ２３は、ＡＰＬ−ＧＷ２１から入力した留守番伝言蓄積通知メッセージを、ＳＭＳＣ３を介して当該携帯電話機へショートメッセージとして配信する（ステップＳ８０８、通知手段）。
【００５５】
本実施形態では留守番伝言蓄積の通知をショートメッセージの配信により行っているが、電子メールの配信により行うことも可能である。また、マルチメディアシステム２において所定のＷｅｂページに留守番伝言蓄積の情報を掲載し、携帯電話機から当該Ｗｅｂページを閲覧することで留守番伝言蓄積の情報をユーザに通知することも可能である。
【００５６】
さらに、図８のフローチャートは固定電話機への留守番伝言蓄積がある度に留守番伝言蓄積通知メッセージを携帯電話機へ送信する手順であるが、送信のタイミングを携帯電話機からマルチメディアシステム２へ設定し、その設定されたタイミングでＭＳＧＷ２３が携帯電話機へ留守番伝言蓄積通知メッセージを送信することもできる。
【００５７】
ＳＭＳＣ３からの留守番伝言蓄積通知メッセージを受信した携帯電話機は、図６を参照して前述したのと同様に、留守番伝言蓄積通知であることを示すアイコンを表示する。また、携帯電話機の電話帳機能と連携して留守番伝言蓄積通知メッセージに格納された発信者の電話番号から発信者名を検索して表示する。このように、マルチメディアシステム２からの留守番伝言蓄積通知は携帯電話機に保存されるが、携帯電話機からマルチメディアシステム２に対して、任意に、留守番伝言蓄積の履歴を送信するよう指示することもできる。
【００５８】
次に、図９のフローチャートを参照して、図８の手順で蓄積された留守番伝言を固定電話機から再生する手順について説明する。まず、固定電話機５から留守番再生用に設けられた特番を発信する（ステップＳ９０１）。ＳＩＰサーバ１１が特番の発信を認識すると、ＶＳＧＷ２４へＩＮＶＩＴＥメッセージを送信し接続する（ステップＳ９０２）。
【００５９】
ＶＳＧＷ２４はＳＩＰサーバからのＩＮＶＩＴＥメッセージにより固定電話機５の電話番号を判断し、留守番伝言の録音状況を確認する（ステップＳ９０３）。留守番伝言が録音されている場合は、固定電話機５のメールボックスへと接続し、伝言を再生させる（ステップＳ９０４）。
【００６０】
なお、固定電話機５のメールボックスに蓄積された留守番伝言が、一定期間、固定電話機５に括り付けられたどの携帯電話機からも再生されない場合、マルチメディアシステム２は、図８のステップＳ８０７〜Ｓ８０８と同様の手順で再度留守番伝言蓄積通知メッセージを該当する携帯電話機へ送信する。
【００６１】
留守番伝言が再生されない場合にユーザに通知する別の方法としては、マルチメディアシステム２において固定電話機５のメールボックスに蓄積された留守番伝言を音声ファイルの形式に加工し、該音声ファイルを添付ファイルとしてＥメール等により携帯電話機へ強制配信する方法も可能である。マルチメディアシステム２で留守番伝言が消去される前に該留守番伝言を携帯電話機へ配信することで、留守番伝言を確実にユーザの携帯電話機へ通知することができる。
【００６２】
最後に、図１０を参照して、図８の手順で蓄積した留守番伝言の削除に関して説明する。図８の手順で前述したとおり、マルチメディアシステム２の加入者データベース２２には固定電話機の留守番伝言を蓄積するメールボックスと携帯電話機の留守番伝言を蓄積するメールボックスとが存在する。
【００６３】
図１０において、固定電話機Ｘは３台の携帯電話機Ａ、Ｂ、Ｃと結びついて留守番伝言サービスを利用しており、固定電話機Ｘのメールボックスに蓄積された留守番伝言１件目が、携帯電話機Ａのメールボックスの留守番伝言２件目とリンクされている。
【００６４】
固定電話機Ｘのメールボックスでは、固定電話機Ｘと結びついた携帯電話機Ａの消去フラグ（携帯Ａ消去フラグ）、携帯電話機Ｂの消去フラグ（携帯Ｂ消去フラグ）、携帯電話機Ｃの消去フラグ（携帯Ｃ消去フラグ）が留守番伝言と共に記憶される。
【００６５】
携帯電話機Ａで留守番伝言２件目を再生すると、リンクされたアドレスから固定電話機のＸの留守番伝言１件目を参照する。再生後に携帯電話機Ａで留守番伝言２件目を削除すると、携帯電話機Ａのメールボックスから固定電話機Ｘのメールボックスの留守番伝言１件目へのリンクが削除されると共に、固定電話機Ｘのメールボックスにおいて、留守番伝言１件目の携帯Ａ消去フラグが立つ。
【００６６】
この段階では、固定電話機Ｘのメールボックス内の留守番伝言１件目は、携帯電話機Ｂ、Ｃから参照される可能性があるため、固定電話機Ｘのメールボックスから留守番伝言１件目の削除は行わない。この後、携帯電話機Ｂ、Ｃの双方でリンクが削除されて携帯Ｂ消去フラグおよび携帯Ｃ消去フラグが立ち、固定電話機Ｘの留守番伝言１件目の全ての消去フラグが立つと、固定電話機Ｘのメールボックスから留守番伝言１件目が削除される。
【００６７】
本実施形態では、固定電話機や携帯電話機といった端末に機能を追加することで着信通知や留守番伝言通知を実現するのではなく、ネットワーク側の機能で着信通知や留守番伝言通知を実現するため、従来の固定電話機や携帯電話機をそのまま用いることが可能である。
【００６８】
以上、本発明の実施形態を詳述してきたが、具体的な構成は上記実施形態に限られることはなく、本発明の要旨を逸脱しない範囲での設計変更を行うことも可能である。さらに、上記実施形態には種々の段階の発明が含まれており、開示される複数の構成要件を適宜組み合わせることで様々な発明が抽出されうる。例えば、上記実施形態に示した全構成要件から幾つかの構成要件を削除しても、発明が解決しようとする課題の欄で述べた課題が解決でき、発明の効果の欄で述べた効果が得られる場合には、その構成要件が削除された構成が発明として抽出されうる。
【産業上の利用可能性】
【００６９】
本発明は、固定電話機への着信や留守番伝言の蓄積に関する情報を携帯電話機へ通知する情報通知システムに用いて好適である。
【図面の簡単な説明】
【００７０】
【図１】本発明の一実施形態にかかる情報通知システムの構成を示す構成図である。
【図２】着信通知サービスおよび留守番サービスの登録および設定時の構成を示す図である。
【図３】図１のマルチメディアシステム２の加入者データベース２２で記憶される設定情報を示した図である。
【図４】ユーザが着信通知サービスおよび留守番サービスで使用する携帯電話機を登録した際に、当該携帯電話機に対して登録通知を行う手順を示すフローチャートである。
【図５】固定電話機への着信を携帯電話機に通知する手順を示すフローチャートである。
【図６】着信通知メッセージを受信した時の、携帯電話機の画面の一例を示す図である。
【図７】図６の携帯電話機の画面において、着信通知の詳細を示した画面
【図８】固定電話機への留守番伝言の蓄積を携帯電話機へ通知する手順を示すフローチャートである。
【図９】図８の手順で蓄積された留守番伝言を固定電話機から再生する手順を示すフローチャートである。
【図１０】固定電話機と携帯電話機の留守番伝言を蓄積するメールボックスの関係を示した図である。
【符号の説明】
【００７１】
１    …  電話交換機
２    …  マルチメディアシステム
３    …  ＳＭＳＣ（通知手段）
４    …  携帯電話機
５    …  固定電話機
６    …  プロビジョニングシステム
１１  …  ＳＩＰサーバ
１２  …  加入者データベース（記憶手段）
２１  …  ＡＰＬ−ＧＷ
２２  …  加入者データベース（管理手段）
２３  …  ＭＳＧＷ
２４  …  ＶＳＧＷ
【図１】
2007235820.tif 000003
【図２】
2007235820.tif 000004
【図３】
2007235820.tif 000005
【図４】
2007235820.tif 000006
【図５】
2007235820.tif 000007
【図６】
2007235820.tif 000008
【図７】
2007235820.tif 000009
【図８】
2007235820.tif 000010
【図９】
2007235820.tif 000011
【図１０】
2007235820.tif 000012